(57)【要約】【課題】簡単な構成でありながら、様々な意味での柔軟性に富み、熟練した放射線技師の撮影ノウハウを吸収しながら成長していく、従来にない放射線機器操作補助システムを提供する。【解決手段】患者関連情報及びオーダ情報を含む撮影前提情報を受け付け、その撮影前提情報に基づく一連の撮影がなされた場合に、当該撮影前提情報とその撮影順序を示す撮影順序情報とを含む撮影情報が前記撮影情報格納部内にあるかないかを検索し、ある場合には、その撮影情報のプライオリティを更新する一方、ない場合には、所定値のプライオリティを付してなる新たな撮影情報を前記撮影情報格納部に新規登録するようにした。【選択図】図３
2007275261.tif 000002
【特許請求の範囲】
【請求項１】
医師による一の患者の診断のための撮影依頼に基づいて、オペレータが放射線機器を設定し、当該患者を撮影するときの補助をするシステムであって、
撮影対象となる患者に関する情報である患者関連情報及びその撮影依頼内容や依頼元である医師に関する情報であるオーダ情報を含む撮影前提情報を受け付ける情報受付部と、
前記撮影前提情報、それに基づいてなされた一連の撮影の順序を示す撮影順序情報、及びその重み付け情報であるプライオリティを紐付けてなる撮影情報を格納している撮影情報格納部と、
前記撮影前提情報に基づく一連の撮影がなされた場合に、当該撮影前提情報とその撮影順序を示す撮影順序情報とを含む撮影情報が前記撮影情報格納部内にあるかないかを検索し、ある場合には、その撮影情報のプライオリティを更新する一方、ない場合には、所定値のプライオリティを付してなる新たな撮影情報を前記撮影情報格納部に新規登録する順序学習部と、を備えている放射線機器操作補助システム。
【請求項２】
前記情報受付部で撮影前提情報が受け付けられた場合に、その撮影前提情報と同一又は類似の撮影前提情報に紐付けられた撮影順序情報を前記撮影情報格納部から抽出する撮影順序情報抽出部と、
抽出された１以上の撮影順序情報のうち、最もプライオリティの値の大きいものを少なくとも出力する撮影順序情報出力部と、をさらに備えている請求項１記載の放射線機器操作補助システム。
【請求項３】
前記順序学習部が、実際の撮影が行われている回数の多い撮影情報ほど、そのプライオリティの値を大きく設定する請求項１又は２記載の放射線機器操作補助システム。
【請求項４】
前記撮影前提情報に、撮影を行うオペレータに関する情報であるオペレータ関連情報がさらに含まれている請求項１乃至３いずれか記載の放射線機器操作補助システム。
【請求項５】
患者関連情報として、少なくとも患者の移動方法に係る情報が含まれている請求項１乃至４いずれか記載の放射線機器操作補助システム。
【請求項６】
前記撮影情報格納部が、個々の撮影に係る機器設定情報やその撮影の前提となった撮影前提情報などを内容とする個別撮影情報を、その重み付け情報である優先度情報に紐付けて格納しているものである請求項１乃至５いずれか記載の放射線機器操作補助システム。
【請求項７】
前記個別撮影情報における所定内容の相違を識別するためのものであって、前記所定内容が等しければ同じ値を示し異なれば違う値を示す個別撮影識別子を、個別撮影情報に付帯させている請求項６記載の放射線機器操作補助システム。
【請求項８】
前記撮影順序情報が、各撮影にそれぞれ対応する前記個別撮影識別子を撮影順に並べてなるものである請求項７記載の放射線機器制御システム。
【請求項９】
前記順序学習部が、前記撮影指示情報に基づいて複数の所望画像を得るべく実際に一連の撮影がなされた場合に、それら各撮影に係る前記個別撮影情報をそれぞれ取得するとともに、それら個別撮影情報を撮影順に並べて前記撮影順序情報を生成するものである請求項８記載の放射線機器操作補助システム。
【請求項１０】
前記撮影前提情報に基づく一連の撮影がなされた場合に、それら各撮影に係る前記個別撮影情報をそれぞれ取得するとともに、取得した個別撮影情報が前記撮影情報格納部内にあるかないかを検索し、ある場合にはその優先度情報の値を更新する一方、ない場合にはその個別撮影情報にユニークな個別撮影識別子と所定値の優先度情報を付与して、前記撮影情報格納部に新規登録する個別撮影条件学習部をさらに備えている請求項６乃至９いずれか記載の放射線機器操作補助システム。
【請求項１１】
前記個別撮影条件学習部が、実際の撮影が行われている回数の多い個別撮影情報ほど、その優先度情報の値を大きく設定するものである請求項１０記載の放射線機器操作補助システム。
【請求項１２】
撮影順序情報抽出部が、前記情報受付部で受け付けられた撮影前提情報と大まかな内容において同一又は類似の撮影前提情報に紐付けられた撮影順序情報を前記撮影情報格納部から抽出するものであり、
その撮影順序情報を構成する個々の個別撮影情報について、前記受け付けられた撮影前提情報とより詳細な内容において同一又は類似する撮影前提情報を含む個別撮影情報を抽出する個別撮影情報抽出部をさらに備えている請求項２記載の放射線機器操作補助システム。
【請求項１３】
個別撮影情報に、その重み付け情報である優先度情報が紐付けられており、
前記個別撮影情報抽出部により抽出された個別撮影情報のうち、優先度情報の最も大きなものを少なくとも出力する個別撮影情報出力部をさらに備えている請求項１２記載の放射線機器操作補助システム。
【請求項１４】
医師による一の患者の診断のための撮影依頼に基づいて、オペレータが放射線機器を設定し、当該患者を撮影するときの補助をするシステム用のプログラムであって、
撮影対象となる患者に関する情報である患者関連情報及びその撮影依頼内容や依頼元である医師に関する情報であるオーダ情報を含む撮影前提情報を受け付ける情報受付部と、
前記撮影前提情報、それに基づいてなされた一連の撮影の順序を示す撮影順序情報、及びその重み付け情報であるプライオリティを紐付けてなる撮影情報を格納している撮影情報格納部と、
前記撮影前提情報に基づく一連の撮影がなされた場合に、当該撮影前提情報とその撮影順序を示す撮影順序情報とを含む撮影情報が前記撮影情報格納部内にあるかないかを検索し、ある場合には、その撮影情報のプライオリティを更新する一方、ない場合には、所定の値のプライオリティを付してなる新たな撮影情報を前記撮影情報格納部に新規登録する順序学習部と、としての機能をコンピュータに発揮させることを特徴とするプログラム。
【請求項１５】
前記情報受付部で撮影前提情報が受け付けられた場合に、その撮影前提情報と同一又は類似の撮影前提情報に紐付けられた撮影順序情報を前記撮影情報格納部から抽出する撮影順序情報抽出部と、
抽出された１以上の撮影順序情報のうち、最もプライオリティの値の大きいものを少なくとも出力する撮影順序情報出力部と、としての機能をさらにコンピュータに発揮させることを特徴とする請求項１４記載のプログラム。
【請求項１６】
撮影順序情報抽出部が、前記情報受付部で受け付けられた撮影前提情報と大まかな内容において同一又は類似の撮影前提情報に紐付けられた撮影順序情報を前記撮影情報格納部から抽出するものであり、
その撮影順序情報を構成する個々の個別撮影情報について、前記受け付けられた撮影前提情報とより詳細な内容において同一又は類似する撮影前提情報を含む個別撮影情報を抽出する個別撮影情報抽出部をさらに備えている請求項１５記載のプログラム。
【請求項１７】
個別撮影情報に、その重み付け情報である優先度情報が紐付けられており、
前記個別撮影情報抽出部により抽出された個別撮影情報のうち、優先度情報の最も大きなものを少なくとも出力する個別撮影情報出力部をさらに備えている請求項１６記載のプログラム。
【発明の詳細な説明】
【技術分野】
【０００１】
この発明は、医師の依頼にしたがって放射線技師が患者を撮影する場合における放射線機器の操作を補助するシステム等に関するものである。
【背景技術】
【０００２】
ＨＩＳ（Hospital Information System）の開発に伴い、ＨＩＳと連携してデータの授受を行うＲＩＳ（Radiology Information System）と称されるシステムが開発されてきている（特許文献１参照）。
【０００３】
このＲＩＳは、病院等の放射線科で主に用いられるものであって、ＨＩＳから、医師による撮影部位（胸部、腹部など）や撮影方法（正面、立位など）などを指定した１又は複数の撮影指示（以下、プロトコルとも言う）からなるオーダを受け付けると、プロトコル毎の患者撮影のための放射線機器の設定条件を自動で出力するものである。具体的には、例えば放射線技師等が、自ら各プロトコルに対応する標準機器設定条件を、マスターファイルと称される表形式のテーブルデータとして予め作成しておくと（図１６参照）、コンピュータがオーダを受け付けてそのマスターファイルを参照し、プロトコルに対応する標準機器設定条件を出力する。
【０００４】
したがって、このマスターファイルの作成は、現場運用にとってきわめて重要であり、マスターファイルの完成度によって診療の質が左右されると言っても過言ではない。
【０００５】
しかしながら、病巣の種類や部位の多さからも想像できるように、前記プロトコルの標準的な種類だけで、少なく見積もっても数千項目から数万項目と、非常に多岐に亘るため、単にそれらを、当初から誤りなくマスターファイルに入力するだけでも非常に難しい。これに加えて、業務を組み立てつつ、マスターファイルに例外状況や様々なノウハウを加味するのはほとんど不可能に近いとさえ言える。
【０００６】
例えば、このようなマスターファイル方式では、１つの撮影指示に対する標準機器設定しか提供されず、オーダ中に複数の撮影指示があった場合に、その撮影順序まで定めることはできない。撮影順序等までマスターファイルに予め登録しようとすると、その項目が膨大になって、前述したように入力がほとんど不可能になってしまうのである。かといって、実際の機器操作のうえで、この撮影順序は、時間や患者への負担を考慮すれば、軽視してよいものではない。
【０００７】
このような不具合は、ユーザがマスターファイルを作成しなければならないからであって、システム販売者が予めマスターファイルを共通化して作成しておけばよい、とも考えられるが、病院によって、放射線機器の種類や数が異なるため、共通化したマスターファイルなど使い物にはならない。また、そのようなマスターファイルには、病院等によっては不要な項目が入って、データが無用に重いといったことにもなる。
【０００８】
さらに言えば、依頼医師によって、或いは患者の情報によって、撮影順序や各撮影に係る機器設定を若干変えた方がよい場合もあるし、患者の移動方法（独歩、車椅子、ストレッチャー等）によっても撮影を変えなければならない場合もあるが、現状のマスターファイル方式では、そのような項目を増やすことはできないし、また無理に増やせば到底その作成ができなくなる。
【０００９】
そしてこのようなノウハウこそ、ＲＩＳのサポートが望まれる部分であるにも拘わらず、マスターファイルにそのようなノウハウをほとんど取り込めないことから、ノウハウがノウハウのまま取り残されて、肝心なところでのＲＩＳ使い勝手に問題が生じている。
【００１０】
また、このようにサポートしきれない重要なノウハウを取り残したままであるために、如何に極め細やかにマスターファイルを作成しようとも、エキスパートと呼ばれる熟練した放射線技師によって得られる、より詳細な状況（依頼医師、詳細な依頼目的、患者状況等）にピンポイントで合わせた診療画像には、遠く及ばないという不具合もある。
【００１１】
さらに、現状のマスターファイルによるＲＩＳが、各病院独自の方式や、医師、放射線技師の嗜好等に合わせた新たな項目の追加や変更を行いにくい硬直なシステムであることから、このような現状のＲＩＳが普及することで、ＲＩＳ以前に培われたエキスパートのノウハウが消失し、画一化された診療情報しか提供できなくなってきているという問題も生じている。
【特許文献１】特開２００１−５８２５号公報
【発明の開示】
【発明が解決しようとする課題】
【００１２】
そこで本発明は、こういった不具合を解決すべくなされたものであって、その主たる所期課題は、簡単な構成でありながら、様々な意味での柔軟性に富み、熟練した放射線技師の撮影ノウハウを吸収しながら成長していく、従来にない放射線機器操作補助システムを提供することにある。
【課題を解決するための手段】
【００１３】
すなわち、本発明に係る放射線機器操作補助システムは、医師による一の患者の診断のための撮影依頼に基づいて、オペレータが放射線機器を設定し、当該患者を撮影するときの補助をするシステムであって、撮影対象となる患者に関する情報である患者関連情報及びその撮影依頼内容や依頼元である医師に関する情報であるオーダ情報を含む撮影前提情報を受け付ける情報受付部と、前記撮影前提情報、それに基づいてなされた一連の撮影の順序を示す撮影順序情報、及びその重み付け情報であるプライオリティを紐付けてなる撮影情報を格納している撮影情報格納部と、前記撮影前提情報に基づく一連の撮影がなされた場合に、当該撮影前提情報とその撮影順序を示す撮影順序情報とを含む撮影情報が前記撮影情報格納部内にあるかないかを検索し、ある場合には、その撮影情報のプライオリティを更新する一方、ない場合には、所定値のプライオリティを付してなる新たな撮影情報を前記撮影情報格納部に新規登録する順序学習部と、を備えていることを特徴とする。
【００１４】
このようなものであれば、使用することによって、実際の撮影順序等を含んだ撮影情報を次々と記憶学習していくため、不要な情報を排除でき、各病院独自の、使用頻度の高いノウハウを、マスターファイルなど作成せずとも管理できる。しかも、従来であれば無視されていた撮影順序や医師、オペレータに係る情報もパラメータとして学習するため、いわゆるエキスパートのノウハウを余すところなく吸収できる能力を有している。さらに各撮影情報の重要性に係る管理は、自動で付与されるプライオリティによるため、非常に簡単な構成で実現できる。また撮影情報は、実際の撮影から得られる情報であるため、不測の変化にも柔軟に対応でき、しかも発展性に富んだ自在性の高いものとすることができる。
【００１５】
この撮影順序の学習機能を活用する一態様としては、前記情報受付部で撮影前提情報が受け付けられた場合に、その撮影前提情報と同一又は類似の撮影前提情報に紐付けられた撮影順序情報を前記撮影情報格納部から抽出する撮影順序情報抽出部と、抽出された１以上の撮影順序情報のうち、最もプライオリティの高いものを少なくとも出力する撮影順序情報出力部と、をさらに備えているものが好ましい。
【００１６】
検索、抽出を迅速に行い、かつ学習結果をより有効に利用するためには、撮影順序情報抽出部が、前記情報受付部で受け付けられた撮影前提情報と大まかな内容において同一又は類似の撮影前提情報に紐付けられた撮影順序情報を前記撮影情報格納部から抽出するものであり、その撮影順序情報を構成する個々の個別撮影情報について、前記受け付けられた撮影前提情報とより詳細な内容において同一又は類似する撮影前提情報を含む個別撮影情報を抽出する個別撮影情報抽出部をさらに備えているものが望ましい。
【００１７】
個別撮影情報をも学習させ、より複雑なノウハウを吸収できるようにするとともに、利便性を向上させるには、個別撮影情報に、その重み付け情報である優先度情報が紐付けられており、実際の撮影がなされたときに取得した個別撮影情報が前記撮影情報格納部内にあるかないかを検索し、ある場合にはその優先度情報の値を更新する一方、ない場合にはその個別撮影情報にユニークな個別撮影識別子と所定値の優先度情報を付与して、前記撮影情報格納部に新規登録する個別撮影条件学習部をさらに備えているものが好ましい。
【００１８】
より望ましくは、前記個別撮影情報抽出部により抽出された個別撮影情報のうち、優先度情報の最も大きなものを少なくとも出力する個別撮影情報出力部をさらに備えていればなおよい。
【発明の効果】
【００１９】
このような構成の本発明によれば、使用することによって、実際の撮影順序等を含んだ撮影情報を次々と記憶学習していくため、不要な情報を排除でき、各病院独自の、使用頻度の高いノウハウを、マスターファイルなど作成せずとも管理できる。しかも、従来であれば無視されていた撮影順序や医師、オペレータに係る情報もパラメータとして学習するため、いわゆるエキスパートのノウハウを余すところなく吸収できる能力を有している。さらに各撮影情報の重要性に係る管理は、自動で付与されるプライオリティによるため、非常に簡単な構成で実現できる。また撮影情報は、実際の撮影から得られる情報であるため、不測の変化にも柔軟に対応でき、しかも発展性に富んだ自在性の高いものとすることができる。
【発明を実施するための最良の形態】
【００２０】
以下、本発明の実施形態を、図面を参照して説明する。
【００２１】
本実施形態に係る放射線機器操作補助システム１は、図１に示すように、例えば電子カルテシステムなどを含むＨＩＳ（Hospital Information System）と、各種放射線機器との間に介在するものであって、ＨＩＳから送信されてくる医師からの患者撮影依頼に基づいて、放射線技師等（以下オペレータとも言う）が放射線機器を設定し当該患者を撮影する際の補助をするシステムである。なお、本システムを、図中ＫｉＯＳ−ＲＩＳと表示している場合もある。
【００２２】
この放射線機器操作補助システム１は、同図１に示すように、サーバコンピュータ１００ａと、放射線技師が操作する端末コンピュータ１００ｂとを互いに接続して構成している。なお、この放射線機器操作補助システムは、単体のコンピュータで構成してもよいし、それらは、内部ＬＡＮのみならずインターネット等を介して接続されていてもよく、その物理的な台数や配置、内部機器構成等に特に制限があるものではない。
【００２３】
これらコンピュータ１００ａ、１００ｂは、図３にそのハードウェア構成を示すように、ＣＰＵ１０１、内部メモリ１０２、Ｉ／Ｏチャネル１０３、通信チャネル１０４等をバスラインで相互に接続したコンピュータ本体と、そのコンピュータ本体に接続した外部メモリ１０５、出力機器（ディスプレイ１０６及びプリンタ１０７等）、入力機器（キーボード１０９、マウス１０８等）等の周辺機器とを備えたものである。
【００２４】
そして、前記ＣＰＵ１０１がメモリ１０２の所定領域に格納されたプログラムに従って動作することにより、これらコンピュータ１００ａ、１００ｂが前記放射線機器操作補助システム１としての各部、すなわち、図３に示す機能ブロック図のように、撮影情報格納部２、情報受付部３、撮影結果取得部４、順序学習部５、撮影順序情報抽出部６、撮影順序情報出力部７、個別撮影条件学習部８、個別撮影情報抽出部９、個別撮影情報出力部１０等としての機能を発揮する。
【００２５】
次に、これら各部について説明する。
【００２６】
撮影情報格納部２は、メモリ１０２の一部領域に設定されたもので、そこには、図４に示すように、撮影の前提となる撮影前提情報、それに基づいてなされた一連の撮影の順序を示す撮影順序情報、及びその重み付け情報であるプライオリティを紐付けてなる撮影情報が１以上格納されている。
【００２７】
撮影前提情報は、図５に示すように、撮影依頼内容や依頼元である医師に関する情報であるオーダ情報に、撮影対象となる患者に関する情報である患者関連情報、その、及び撮影を行うオペレータに関する情報であるオペレータ関連情報を関連付けてなるものである。
【００２８】
患者関連情報は、性別、年齢、体重、身長、移動方法、入外区分、特記事項などからなる。オーダ情報は、医師関連情報（依頼医師名、依頼科等）と、当該医師の希望する複数の撮影画像に関する情報（撮影部位、撮影方法等）とからなる。オペレータ関連情報とは、実際に放射線機器を操作して撮影を行う放射線技師に関する情報（放射線技師名等）のことである。
【００２９】
撮影順序情報は、図６に示すように、個々の撮影を区別するための個別撮影識別子を撮影順に並べてなるものである。個々の撮影の内容は、その撮影に係る機器設定情報やその撮影の際の撮影前提情報などを内容とする個別撮影情報（図７参照）によって表される。機器設定情報の具体的な内容項目としては、Ｘ線発生装置の種別、フォーカス、管電圧、電流量、時間、管球番号、ディテクタ種別（カセッテ）、フィルム種別など、多岐に亘る。各個別撮影情報には、その所定内容の相違を識別するための個別撮影識別子と、過去の使用頻度により定まる優先度情報を付帯させている。
【００３０】
情報受付部３は、前記撮影前提情報を受け付ける、すなわち情報を受信してメモリ１０２のテンポラリ領域等に一旦格納するものである。この実施形態では、ＨＩＳから送信されてきた患者関連情報及びオーダ情報を受信する一方、前記クライアントコンピュータ上での放射線技師の入力によりオペレータ関連情報を受け付ける。
【００３１】
撮影結果取得部４は、前記撮影前提情報に基づく一連の撮影がなされた場合（撮影が確定した場合も含む）に、放射線機器から各撮影に係る個別撮影情報を取得するとともに、その撮影順序から撮影順序情報を生成し、メモリ１０２のテンポラリ領域等に一旦格納するものである。
【００３２】
順序学習部５は、撮影前提情報に基づく一連の撮影がなされた場合（撮影が確定した場合も含む）に、当該撮影前提情報とその撮影順序を示す撮影順序情報とを含む撮影情報が前記撮影情報格納部２内にあるかないかを検索し、ある場合には、その撮影情報のプライオリティを更新する一方、ない場合には、所定の値のプライオリティを付してなる新たな撮影情報を前記撮影情報格納部２に新規登録するものであり、要は、なされた撮影順序を学習するものである。プライオリティの値は、撮影が行われてその撮影に係る撮影情報が更新されるたびに大きくなる、つまり、撮影が行われている回数の多い、よく用いられる撮影情報ほど、プライオリティの値は大きく設定されている。
【００３３】
撮影順序情報抽出部６は、前記情報受付部３で撮影前提情報が受け付けられた場合に、その撮影前提情報と同一又は類似の撮影前提情報に紐付けられた撮影順序情報を前記撮影情報格納部２から抽出するものである。
【００３４】
なお、ここで、同一の撮影前提情報とは、撮影に影響を及ぼし得る主要内容が同一であるもののことを言い、例えば同じ患者で、前回とは体重や年齢が少し変動していた、などといった、撮影への影響がほとんどない内容のものは、異なっていても同一と見なされる。類似の撮影前提情報とは、予め定めた項目内容の異なるものを言う。例えば医師やオペレータが異なるものが類似となる。
【００３５】
撮影順序情報抽出部６について、もう少し詳細に説明しておくと、この撮影順序情報抽出部６は、まず前記情報受付部３で受け付けられた撮影前提情報と大まかな内容（ここでは、例えば撮影部位、撮影方法、撮影室、患者移動方法、担当技師、依頼科、依頼医師）において同一又は類似の撮影前提情報を検索し、得られた撮影前提情報に紐付けられた撮影順序情報を前記撮影情報格納部２から抽出する。
【００３６】
撮影順序情報出力部７は、抽出された１以上の撮影順序情報のうち、最もプライオリティの高いものを少なくともディスプレイに表示出力するものである。また、オペレータの要求入力により、プライオリティの低いものを表示することもできる。なお、ここでは、この撮影順序にしたがってオペレータが放射線機器を撮影するが、同一の放射線機器を使用するといった場合、この撮影順序情報を放射線機器にも送信出力するようにしてもよい。
【００３７】
そして個別撮影情報抽出部９が、このようにして抽出された１以上の撮影順序情報の個別撮影情報につき、より詳細な内容（ここでは、例えば撮影室、手技、小部位、患者移動方法、年齢、姿勢体位、詳細部位、特殊指示、技師、患者性別、身長、体重、入外区分、依頼科、依頼医師）で同一又は類似するものを抽出する。
【００３８】
個別撮影情報出力部１０は、個別撮影情報抽出部９が抽出した１以上の前記個別撮影情報のうち、優先度情報（後述する）の値の最も大きいものを少なくともディスプレイに表示出力するものである。また、オペレータの要求入力により、優先度情報の値の小さいものを表示することもできる。さらに、後述するがオペレータによる確定が行われると、放射線機器にもこの個別撮影情報を送信出力する。
【００３９】
個別撮影条件学習部８は、前記撮影前提情報に基づく撮影がなされた場合に、それら各撮影に係る前記個別撮影情報を撮影結果取得部４から取得するとともに、それら個別撮影情報のうち、前記撮影情報格納部２にない新規なものについては、その個別撮影情報にユニークな個別撮影識別子と所定値の優先度情報を付与して、前記撮影情報格納部２に新たに書き込む一方、既存のものについてはその優先度情報の値を大きくして前記撮影情報格納部２に更新記録するものであり、要は、個別撮影に係る条件を学習するものである。
【００４０】
このように構成した本システム１の具体的な動作例を、図８〜図１１の状態遷移概要図、図１２の画面構成図を参照しつつ、以下に説明する。
【００４１】
図８に示すように、まずＨＩＳの端末から、診察担当医師の要求により、患者関連情報、オーダ情報が発行される。図１２で説明すると、ＨＩＳ画面において、医師が、１欄〜３欄までを入力して撮影登録ボタン（４欄）を押下し、５欄に確認表示させた後、オーダ確定ボタン（６欄）を押すと、前記患者関連情報及びオーダ情報が本システム１に発行される。
【００４２】
システム１側では、これを受信し患者関連情報及びオーダ情報を取得する（ステップＳ１）一方、ＨＩＳ側に受け付けた旨を返信する。
【００４３】
次に担当放射線技師（オペレータ）が自身のＩＤ等で端末からログインするとディスプレイに、図１２の中央に示すＫｉＯＳ−ＲＩＳ画面が表示される。そこでオペレータが、７欄に患者名、９欄に自分の登録名を入力すると、システム１はそのオペレータ関連情報を別途呼び出す（ステップＳ２）とともに、前記オペレータ関連情報及び患者関連情報を前記オーダ情報に紐付けて撮影前提情報を生成し、１１欄に、患者関連情報や依頼医師名、依頼科を自動表示する。
【００４４】
次に、システム１は、図９に示すように、今回の撮影前提情報と一部の所定内容において同一又は類似する撮影前提情報を有した過去の撮影情報を抽出し（ステップＳ３）、それらのうち、最も大きいプライオリティ値を有する撮影情報が示す撮影順序を１２欄（図１２）に表示する（ステップＳ４）。もしオペレータが別の撮影順序情報を欲する場合は、１５欄、又は１６欄を押下して選択することができる（ステップＳ５）。なお、類似のものは、赤字にするなど、同一のものと別態様で表示するようにしている。
【００４５】
撮影順序決定後、オペレータは撮影開始ボタン（１７欄）を押下する。
【００４６】
すると、システム１は、図１０に示すように、撮影順序が最初の個別撮影情報において、受け付けた撮影前提情報と、より詳細な内容が合致するものを抽出する（ステップＳ６）。
【００４７】
そして、抽出した個別撮影情報を２１欄（図１２）に表示する（ステップＳ７）。もし個別撮影情報が複数ある場合は、それらのうち、最も大きい優先度情報値を有する個別撮影情を初期表示する。なお、オペレータが別の個別撮影情報を欲する場合は、１５欄、又は１６欄を押下して選択することができる。
【００４８】
その表示内容をオペレータが確認後、曝射ボタン（図１２の１９欄）を押下すると、その個別撮影情報が放射線機器側に送信されて（ステップＳ８）、撮影が行われる。システム１は、次に放射線機器側から個別撮影情報を取得し（ステップＳ９）、撮影情報格納部２に新規又は更新登録する（ステップＳ１０）。
【００４９】
そして、次の撮影に進み（ステップＳ１１）、同様のことを繰り返す。
【００５０】
最後の撮影が終了すると、図１１に示すように、システム１は一連の撮影から、その撮影順序情報を取得し、撮影情報格納部２に新規又は更新登録する（ステップＳ１２）。
【００５１】
なお、数値等が入力された画面構成例を図１３〜図１５に示す。これら各図での欄番号と図１２での欄番号とは一致していない。
【００５２】
このようにして検査が終了すると、その旨はＨＩＳに伝えられ（ステップＳ１３）、検査結果や費用が算出される。
【００５３】
したがって、このように構成した本システム１によれば、使用することによって同時に、撮影順序や個別撮影情報を次々と記憶学習していくため、放射線機器の設定等に係るノウハウを、マスターファイルなど作成せずとも管理、蓄積できる。
【００５４】
また、使用しないような撮影情報は、そもそも記憶されないため、個々の病院等の放射線機器使用態様に応じた、無駄のない最小限の規模のシステムが自動構築される。
【００５５】
しかも、従来であれば無視されていた撮影順序や医師、オペレータに係る情報もパラメータとして学習するため、いわゆるエキスパートのノウハウを余すところなく吸収できる。
【００５６】
コンパクトなシステムという観点からいうと、各撮影順序情報をセル化してそれぞれに識別子を付与し、その識別子の順序で撮影順序情報を構築しているとともに、撮影順序情報や個別撮影情報の重要性を、自動付与されるプライオリティや優先度によって管理するようにしていることからも、非常に簡単な構成で実現できるという効果が得られる。
【００５７】
またこのようにセル化して、その識別子で管理していることから、その実態内容の書き換え、新規登録が容易であるため、不測の変化にも柔軟に対応でき、しかも高い発展性に富んだものとすることができる。
【００５８】
なお、本発明は前記実施形態に限られるものではない。例えば、検索の結果、撮影順序情報が存在しなかった場合、類似の個別撮影情報にまで範囲を広げて検索させるようにすることもできる。その際、例えば優先度の最も高いものから検索すればよい。
【００５９】
最初の使い勝手を考えて、予め撮影情報格納部にデフォルト情報をいくつか与えておいてもよい。
【００６０】
プライオリティや優先度情報の付与に関しては単なる回数だけでなく、例えば、経験の少ない技師と経験の多い技師で、プライオリティや優先度情報の付与度が異なる、実際に撮影を行った上でその方法に問題があった場合は、プライオリティ、優先度情報の値を下げることができる（後評価によるプライオリティ制御）といったシステムにしても構わない。このようにすることで、エキスパートのノウハウをより吸収できる構成となる。
【００６１】
その他、本発明は前記各説明の一部構成を適宜組み合わせても構わないし、その主旨を逸脱しない範囲で種々の変形が可能である。
【図面の簡単な説明】
【００６２】
【図１】本発明の一実施形態における放射線機器操作補助システムの機器構成図。
【図２】同実施形態に係るコンピュータの内部機器構成図。
【図３】同実施形態に係る放射線機器操作補助システムの機能ブロック図。
【図４】同実施形態に係る撮影情報のデータ構成図。
【図５】同実施形態に係る撮影前提情報のデータ構成図。
【図６】同実施形態に係る撮影順序情報のデータ構成図。
【図７】同実施形態に係る個別撮影情報のデータ構成図。
【図８】同実施形態に係るシステムの状態遷移概要図。
【図９】同実施形態に係るシステムの状態遷移概要図。
【図１０】同実施形態に係るシステムの状態遷移概要図。
【図１１】同実施形態に係るシステムの状態遷移概要図。
【図１２】同実施形態に係る画面構成図。
【図１３】同実施形態に係る画面表示の一例。
【図１４】同実施形態に係る画面表示の一例。
【図１５】同実施形態に係る画面表示の一例。
【図１６】従来のマスターファイル例。
【符号の説明】
【００６３】
１・・・放射線機器操作補助システム
２・・・影情報格納部
３・・・情報受付部
４・・・撮影結果取得部
５・・・順序学習部
６・・・撮影順序情報抽出部
７・・・撮影順序情報出力部
８・・・個別撮影条件学習部
９・・・個別撮影情報抽出部
１０・・・個別撮影情報出力部
【図１】
2007275261.tif 000003
【図２】
2007275261.tif 000004
【図３】
2007275261.tif 000005
【図４】
2007275261.tif 000006
【図５】
2007275261.tif 000007
【図６】
2007275261.tif 000008
【図７】
2007275261.tif 000009
【図８】
2007275261.tif 000010
【図９】
2007275261.tif 000011
【図１０】
2007275261.tif 000012
【図１１】
2007275261.tif 000013
【図１２】
2007275261.tif 000014
【図１３】
2007275261.tif 000015
【図１４】
2007275261.tif 000016
【図１５】
2007275261.tif 000017
【図１６】
2007275261.tif 000018